Podtech/llm-jp-corpus-v4-ja_patent huggingface dataset:
【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】
（ａ）少なくとも１種の粘度が１０００センチポアズよりも大きいメチルセルロースである水溶性非醗酵性セルロース誘導体；
（ｂ）少なくとも１種の、脂肪過多症の治療に有効な量のリパーゼ阻害剤；および
（ｃ）食用カルシウム塩から選択される少なくとも１種の賦形剤またはそれらの混合物を含む即時放出性錠剤用の医薬組成物。
【請求項２】
食用カルシウム塩が第二リン酸カルシウム二水和物、リン酸カルシウム無水物もしくは第三リン酸カルシウムまたはそれらの混合物である請求項１に記載の組成物。
【請求項３】
食用カルシウム塩が第二リン酸カルシウム二水和物塩である請求項１に記載の組成物。
【請求項４】
さらにＰＶＰ、ヒドロキシプロピルセルロース、ヒドロキシプロピルメチルセルロース、アラビアガム、ゼラチン、トラガカントガム、予めゼラチン化したデンプンまたはデンプンである結合剤を含む請求項１に記載の組成物。
【請求項５】
さらにデンプングリコール酸ナトリウム、カルボキシメチルセルロースナトリウム、Ａｃ−ｄｉ−ｓｏｌ（商品名）、カルボキシメチルセルロース、ビーガム（ｖｅｅｇｕｍ）、アルギン酸塩、寒天、グアー、トラガカント、ローカストビーン、カラヤ、ペクチン、またはクロスポビドンである崩壊剤を含む請求項１に記載の組成物。
【請求項６】
さらに湿潤剤および／または滑剤を含む請求項１に記載の組成物。
【請求項７】
メチルセルロースが＞３０００センチポアズの粘度を有する請求項１に記載の組成物。
【請求項８】
メチルセルロースが約４５０〜約５５０ｍｇの量である請求項１に記載の組成物。
【請求項９】
リパーゼ阻害剤がオーリスタットである請求項１〜８いずれか１項に記載の組成物。
【請求項１０】
打錠した請求項１〜９いずれか１項に記載の組成物。
【請求項１１】
脂肪過多症ならびにそれに付随する便失禁および脂肪便の二元的治療方法であって、その治療を必要とする哺乳類へ、
（ａ）少なくとも１種の、脂肪過多症の治療に有効な量のリパーゼ阻害剤；および
（ｂ）少なくとも１種の、リパーゼ阻害剤の共同投与に伴う便失禁および脂肪便を軽減させるのに十分な量にて存在する、水溶性非醗酵性セルロース誘導体；および
（ｃ）食用カルシウム塩から選択される少なくとも１種の賦形剤またはそれらの混合物を含む打錠した錠剤を投与することを特徴とする方法。
【請求項１２】
水溶性非醗酵性セルロース誘導体が＞１０００センチポアズの粘度を有するメチルセルロースである請求項１１に記載の方法。
【請求項１３】
（ａ）少なくとも１種の、粘度が１０００センチポアズよりも大きいメチルセルロースである、水溶性非醗酵性セルロース誘導体；
（ｂ）少なくとも１種の、脂肪過多症の治療に有効な量のリパーゼ阻害剤；および
（ｃ）微結晶セルロース、トウモロコシデンプン、またはスターチ１５００から選択される少なくとも１種の膨張性の希釈剤または増量剤を含む錠剤用医薬組成物。
【請求項１４】
水溶性非醗酵性セルロース誘導体が＞２０００センチポアズの粘度を有するメチルセルロースである請求項１３に記載の組成物。
【請求項１５】
さらに崩壊剤を含む請求項１４に記載の組成物。
【請求項１６】
さらに湿潤剤および／または滑剤を含む請求項１５に記載の組成物。
【請求項１７】
さらに結合剤を含む請求項１６に記載の組成物。
【請求項１８】
希釈剤が微結晶セルロースであり、メチルセルロースの微結晶セルロースに対する比率が約２．１〜約１４：１である請求項１４に記載の組成物。
【請求項１９】
希釈剤がトウモロコシデンプンであり、メチルセルロースのトウモロコシデンプンに対する比率が約７．５〜約１５：１である請求項１４に記載の組成物。
【請求項２０】
脂肪過多症ならびにそれに付随する便失禁および脂肪便の二元的治療方法であって、その治療を必要とする哺乳類へ、
（ａ）少なくとも１種の、粘度が１０００センチポアズよりも大きいメチルセルロースである、水溶性非醗酵性セルロース誘導体；
（ｂ）少なくとも１種の、脂肪過多症の治療に有効な量のリパーゼ阻害剤；および
（ｃ）微結晶セルロース、トウモロコシデンプンまたはスターチ１５００から選択される少なくとも１種の膨張性の希釈剤または増量剤を含む打錠した錠剤を投与することを特徴とする方法。
【請求項２１】
ａ）＞３０００ｃｐｓの高粘度メチルセルロース；微結晶セルロース、トウモロコシデンプンもしくはスターチ１５００またはそれらの混合物から選択される希釈剤、リパーゼ阻害剤、滑剤および任意の崩壊剤を混合しての顆粒内混合物の形成；および
ｂ）工程（ａ）の混合物へのＰＶＰ水溶液の添加、または別法として工程（ａ）の混合物へのＰＶＰ水溶液の噴霧；および造粒；
ｃ）湿潤剤；滑剤；希釈剤；および崩壊剤またはそれらの混合物の顆粒外混合物の混和；および
ｄ）工程（ｂ）の顆粒と工程（ｃ）の顆粒外混合物との成型を含む錠剤製剤の製造方法。
【請求項２２】
リパーゼ阻害剤成分を工程ａ）にかえて工程ｃ）において添加する請求項２１に記載の方法。
【請求項２３】
ａ）＞３０００ｃｐｓの高粘度メチルセルロース；少なくとも１種の食用カルシウム塩またはそれらの混合物；リパーゼ阻害剤、および任意の顆粒内崩壊剤、および／または湿潤剤、および／または着色剤を含む顆粒の混合；
ｂ）工程（ａ）の混合物へのＰＶＰ水溶液の添加、または別法として工程（ａ）の混合物へのＰＶＰ水溶液の噴霧；および造粒；および
ｃ）湿潤剤；滑剤；希釈剤；および崩壊剤またはそれらの混合物の顆粒外混合物の混和；および
ｄ）工程（ｂ）の顆粒と工程（ｃ）の顆粒外混合物との成型を含む医薬錠剤の製造方法。
【請求項２４】
リパーゼ阻害剤の混合物を工程ａ）にかえて工程ｃ）において添加する請求項２１に記載の方法。
【請求項２５】
（ａ）少なくとも１種の、脂肪過多症の治療に有効な量のリパーゼ阻害剤；および
（ｂ）少なくとも１種の、リパーゼ阻害剤の共同投与に伴う便失禁および脂肪便を軽減させるのに十分な量にて存在する、水溶性非醗酵性セルロース誘導体；および
（ｃ）食用カルシウム塩から選択される少なくとも１種の賦形剤またはそれらの混合物を含む、即時放出性医薬組成物。
【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】  個体の細胞活性に対するビタミンＡの作用を増強する組成物であって、第１群の微小球内に挿入されたビタミンＡ及び抗酸化剤、並びに第２群の微小球内に挿入されたビタミンＣを含んで成る、多くの分散した微小球であって、生物学的に活性な材料から作られる微小球、を含んで成り、且つブチレングリコール、乳酸セチル及びそれらの組み合わせから成る群から選択される皮膚軟化薬を含んで成る、組成物。
【請求項２】  前記組成物の全重量に基づき、ビタミンＣが重量当たり０．０２％の組成で存在し、そしてビタミンＡが重量当たり約０．００９％〜０．０２％の濃度で存在することを特徴とする、請求項１に記載の組成物。
【請求項３】  ビタミンＣが第２群の微小球内に、０．０２％の濃度で含まれることを特徴とする、請求項２に記載の組成物。
【請求項４】  第１群の微小球が、前記組成物の全重量に基づき、重量当たり０．０１４％の平均濃度のビタミンＡを含む、請求項３に記載の組成物。
【請求項５】  第１群の微小球が重量当たり０．０１４％の平均濃度のビタミンＡ及び０．０００５％の平均濃度のビタミンＥを含み、且つ更に、皮膚の構成物、皮膚の微量養素、感覚に作用する薬剤、日焼け止め剤、乳化剤、増粘剤、金属イオン封鎖剤、抗酸化剤、芳香剤、保存剤、水及びそれらの混合物から成る群から選択される化粧用化合物を含み、前記皮膚の構成物がスクアラン及びスフィンゴ脂質複合体であり、皮膚の微量養素が海草抽出物であり、そして感覚に作用する薬剤が湿潤剤、及びシリコンから成る群から選択される、請求項４に記載の組成物。
【請求項６】  ビタミンＣ：ビタミンＡの重量比が約１：１〜約１０：１に及ぶ、請求項１に記載の組成物。
【請求項７】  抗酸化剤がビタミンＥである、請求項１に記載の組成物。
【請求項８】  湿潤剤がグリセリン、ヒドロキシプロリシランＣ、及びそれらの組み合わせから成る群から選択される、請求項５に記載の組成物。
【請求項９】  シリコンがシクロメチコンである、請求項５に記載の組成物。
【請求項１０】  日焼け止め剤がブチルメトキシジベンゾイルメタン、３−（４−メチルベンジリデン）カンファー、及びそれらの組み合わせから成る群から選択される、請求項５に記載の組成物。
【請求項１１】  乳化剤がトリエタノールアミンと会合したアクリラート／Ｃ１０−３０アルキルアクリラートクロスポリマー、大豆レシチン及びそれらの群から選択される、請求項５に記載の組成物。
【請求項１２】  増粘剤がキサンタンガムである、請求項５に記載の組成物。
【請求項１３】  金属イオン封鎖剤がエチレンジアミン四酢酸（ＥＤＴＡ）である、請求項５に記載の組成物。
【請求項１４】  抗酸化剤がブチルヒドロキシトルエン（ＢＨＴ）、ジ−α−トコフェロール、及びそれらの組み合わせから成る群から選択される、請求項５に記載の組成物。
【請求項１５】  個体の細胞活性に対するビタミンＡの作用を増強する組成物であって、第１群の微小球内に挿入されたビタミンＡ及び抗酸化剤、並びに第２群の微小球内に挿入されたビタミンＣを含んで成る、多くの分散した微小球であって、生物学的に活性な材料から作られる微小球を含んで成り、且つブチレングリコール、乳酸セチル及びそれらの組み合わせから成る群から選択される皮膚軟化薬を含んで成り、ビタミンＣが個体の細胞活性に対するビタミンＡの作用を増強するのに有効な量で存在している、組成物。
【請求項１６】  個体の細胞活性に対するビタミンＡの作用を増強する組成物であって、第１群の微小球内に挿入されたビタミンＡ及び抗酸化剤、並びに第２群の微小球内に挿入されたビタミンＣを含んで成る、多くの分散した微小球であって、生物学的に活性な材料から作られる微小球を含んで成り、且つブチレングリコール、乳酸セチル及びそれらの組み合わせから成る群から選択される皮膚軟化薬を含んで成り、前記組成物の全重量に基づき、ビタミンＣが重量当たり約０．０２％の濃度で存在し、そしてビタミンＡが重量当たり約０．００９％〜０．０２％の濃度で存在する、組成物。
【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  成長ホルモン、その類似物、または機能的に均等なリガンドを含有する、患者の脳内で神経保護効果を誘起させるための薬物。
【請求項２】  該神経保護効果が、致死的障害のあるニューロンを救済するものである、請求項１に記載の薬物。
【請求項３】  該障害が、ハンチントン舞踏病、アルツハイマー病、大脳皮質基底核変性病(corticobasal degeneration)、スティール・リチャードソン・オルゼウスキー症候群または糖尿病性神経障害である、請求項２に記載の薬物。
【請求項４】  該リガンドが、成長ホルモンが結合し活性化する患者の脳内の神経成長ホルモンレセプター類の活性を増加させる因子である、請求項１に記載の薬物。
【請求項５】  該因子が、成長ホルモンレセプター類と結合するものである、請求項４に記載の薬物。
【請求項６】  該因子が、プロラクチン、プロラクチンの類似物、胎盤ラクトゲン、または胎盤ラクトゲンの類似物から選択されるものである、請求項５に記載の薬物。
【請求項７】  該因子が、神経成長ホルモンレセプター類と結合する因子の活性濃度の増加をもたらすものである、請求項４に記載の薬物。
【請求項８】  該因子が、成長ホルモン放出タンパク質類(ＧＲＰ)、成長ホルモン放出ホルモン(ＧＨＲＨ)、機能的に均等なこれらの分泌促進物質類、およびソマトトロピン放出阻害因子(ＳＲＩＦ)から選択されるものである、請求項７に記載の薬物。
【請求項９】  成長ホルモン、その類似物、または機能的に均等なリガンドと、第２の神経保護因子との組合せを含有する、但し、第２の神経保護因子が１種存在する場合はそれがＩＧＦ-１ではない、神経保護性薬物。
【請求項１０】  該薬物が、１種またはそれ以上のＧＰＥ、アクチビン、ＮＧＦ、ＴＧＦ-Ｂ、成長ホルモン結合タンパク質、並びにＩＧＦ結合タンパク質およびｂＦＧＦを含むものである、請求項９に記載の薬物。
【請求項１１】  該薬物がさらにＩＧＦ-１を含むものである、請求項１０に記載の薬物。
【請求項１２】  治療的有効量の成長ホルモン、その類似物、または機能的に均等なリガンド、および所望により第２の神経保護因子を含む神経保護性医薬組成物であって、但し第２の神経保護因子が１種存在する場合はそれがＩＧＦ-１ではない、組成物。
【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】  哺乳動物患者において、損傷を受けているか、または損傷を受けた微小血管が従事する器官の機能を維持または改善するための組成物であって、該組成物は、有効量の血管内皮増殖因子（ＶＥＧＦ）、そのアゴニスト、またはＶＥＧＦの産生を刺激する因子を含有する、組成物。
【請求項２】  前記器官の正常な機能を維持または回復させる、請求項１に記載の組成物。
【請求項３】  前記損傷が血栓性微小血管症である、請求項１に記載の組成物。
【請求項４】  前記器官が腎臓である、請求項１に記載の組成物。
【請求項５】  腎臓の正常な機能を維持または回復させる、請求項４に記載の組成物。
【請求項６】  ＴＭＡ後の腎臓機能を改善する、請求項４に記載の組成物。
【請求項７】  前記ＴＭＡが慢性腎臓疾患に関連する、請求項６に記載の組成物。
【請求項８】  前記ＴＭＡが急性腎臓疾患に関連する、請求項６に記載の組成物。
【請求項９】  前記ＴＭＡが溶血性尿毒症症候群（ＨＵＳ）に関連する、請求項６に記載の組成物。
【請求項１０】  前記器官が心臓である、請求項１に記載の組成物。
【請求項１１】  前記器官が肺である、請求項１に記載の組成物。
【請求項１２】  前記患者がヒトである、請求項１に記載の組成物。
【請求項１３】  前記ＶＥＧＦが天然のヒトＶＥＧＦ配列である、請求項１２に記載の組成物。
【請求項１４】  前記ＶＥＧＦがｈＶＥＧＦ121またはｈＶＥＧＦ165である、請求項１３に記載の組成物。
【請求項１５】  溶血性尿毒症症候群（ＨＵＳ）を発症しているか、またはＨＵＳと診断される危険にある哺乳動物患者において、ＨＵＳを処置するための組成物であって、該組成物は、有効量の血管内皮増殖因子（ＶＥＧＦ）、そのアゴニスト、またはＶＥＧＦの産生を刺激する因子を含有する、組成物。
【請求項１６】  前記患者がヒトである、請求項１５に記載の組成物。
【請求項１７】  前記ＶＥＧＦが天然のヒトＶＥＧＦ配列である、請求項１６に記載の組成物。
【請求項１８】  前記ＶＥＧＦがｈＶＥＧＦ121またはｈＶＥＧＦ165である、請求項１７に記載の組成物。
【請求項１９】  前記ＨＵＳが血栓性血小板減少性紫斑病（ＴＴＰ）である、請求項１５に記載の組成物。
【請求項２０】  同種異系移植器官の機能を保存または促進するための組成物であって、該組成物は、有効量の血管内皮増殖因子（ＶＥＧＦ）、そのアゴニスト、またはＶＥＧＦの産生を刺激する因子を含有する、組成物。
【請求項２１】  前記患者が、腎臓、心臓、肝臓、肺、膵臓、皮膚、骨、腸の移植または異種移植を受けた患者である、請求項２０に記載の組成物。
【請求項２２】  溶血性尿毒症症候群（ＨＵＳ）の処置のために薬学的組成物を調製するための方法であって、該方法は、薬学的に受容可能なキャリアと、血管内皮増殖因子（ＶＥＧＦ）、そのアゴニスト、またはＶＥＧＦの産生を刺激する因子とを混合する工程を包含する、方法。
【請求項２３】  製品であって、該製品は、容器、該容器内に血管内皮増殖因子（ＶＥＧＦ）、そのアゴニスト、またはＶＥＧＦの産生を刺激する因子を含む組成物、および溶血性尿毒症症候群（ＨＵＳ）の処置のために該組成物を使用するための説明書を含む、製品。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  不活性溶剤中、溶剤としての置換された芳香族炭化水素中で、６０〜８０℃の範囲内の温度での、イミダゾールとホスゲンとからのカルボニルジイミダゾールの製造法において、イミダゾール−ヒドロクロリド結合生成物を、１００℃を上回る温度での相分離により、生じた反応混合物から溶融液として除去し、その際、置換された芳香族炭化水素として、オルトキシロール、メタキシロール又はパラキシロール又は前記異性体から任意の割合で構成された混合物またはクロロベンゼンを使用する、カルボニルジイミダゾールの製造法。
【請求項２】  イミダゾール−ヒドロクロリドを、反応後に、１００〜１３０℃への温度の上昇によって溶融させ、その後、相分離によって分離する、請求項１に記載の方法。
【請求項３】  溶融液として分離されたイミダゾール−ヒドロクロリドを、水で加水分解し、その後、強塩基の水溶液を用いて、１１〜１２のｐＨ値の調節によって中和させ、かつ水相から、有機溶剤を用いて抽出する、請求項１に記載の方法。
【請求項４】  抽出のための有機溶剤として、水不溶性のカルボン酸エステルを使用する、請求項３に記載の方法。
【請求項５】  抽出によって回収されたイミダゾール溶液を、溶液中に存在する水の共沸除去によって脱水し、ホスゲン化に返送する、請求項３に記載の方法。
【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  ２−ヒドロキシ−６−トリフルオロメチルピリジンの調製のためのプロセスであって、該プロセスが、５０℃〜１６０℃の温度で、２−フルオロ−６−トリフルオロメチルピリジン、または５０モル％までの２−クロロ−６−トリフルオロメチルピリジンを含有する２−フルオロ−６−トリフルオロメチルピリジンと２−クロロ−６−トリフルオロメチルピリジンとの混合物を、水酸化アルカリ金属と反応させる工程、ならびにこのように形成された生成物を酸性化する工程を包含する、プロセス。
【請求項２】  前記水酸化アルカリ金属が水溶液の形態である、請求項１に記載のプロセス。
【請求項３】  前記水酸化アルカリ金属水溶液の強度が、９％〜８５％ｗ／ｖの範囲である、請求項２に記載のプロセス。
【請求項４】  前記水酸化アルカリ金属が水酸化カリウムである、請求項１〜３のいずれか１項に記載のプロセス。
【請求項５】  請求項１〜４のいずれか１項に記載のプロセスであって、ここで、使用される前記水酸化アルカリ金属の量が、前記２−フルオロ−６−トリフルオロメチルピリジンおよび２−クロロ−６−トリフルオロメチルピリジン出発物質の合計に対して２〜３当量の塩基の範囲内である、プロセス。
【請求項６】  請求項１〜５のいずれか１項に記載のプロセスであって、ここで、前記２−フルオロ−６−トリフルオロメチルピリジンまたは２−フルオロ−６−トリフルオロメチルピリジンと２−クロロ−６−トリフルオロメチルピリジンとの混合物が、前記水酸化アルカリ金属水溶液へ次第に添加される、プロセス。
【請求項７】  ２−ヒドロキシ−６−トリフルオロメチルピリジンの調製のためのプロセスであって、該プロセスが、８０℃〜１５０℃の温度で、２−フルオロ−６−トリフルオロメチルピリジンを、水酸化アルカリ金属水溶液と反応させる工程、ならびにこのように形成された生成物を酸性化する工程を包含する、プロセス。
【請求項８】  前記温度が９０℃〜１３０℃の範囲内である、請求項７に記載のプロセス。
【請求項９】  ２−ヒドロキシ−６−トリフルオロメチルピリジンの調製のためのプロセスであって、該プロセスが、５０℃〜１６０℃の温度で、２−フルオロ−６−トリフルオロメチルピリジン、または２−フルオロ−６−トリフルオロメチルピリジンと２−クロロ−６−トリフルオロメチルピリジンとの混合物を、水酸化アルカリ金属と反応させる工程、このように形成された生成物を３５℃〜４５℃の温度で酸性化する工程、ならびに得られた２−ヒドロキシ−６−トリフルオロメチルピリジンを５℃〜１５℃の温度で単離する工程を包含する、プロセス。
【手続補正２】
【補正対象書類名】明細書
【補正対象項目名】００１５
【補正方法】変更
【補正の内容】
【００１５】
２−フルオロ−６−トリフルオロメチルピリジン出発物質は、ＵＳ−Ａ−４４７４５９９に開示される公知の化合物（Ｃｈｅｍｉｃａｌ  Ａｂｓｔｒａｃｔｓ  Ｒｅｇｉｓｔｒｙ  Ｎｏ．９４２３９−０４−０）である。２−クロロ−６−トリフルオロメチルピリジンもまた、公知の化合物であり、そしてその調製は、ＥＰ−Ａ−００４２６９６、ＥＰ−Ａ−０１１０６９０およびＵＳ−Ａ−３６８２９３６に記載される。
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002524460.tif 000001
［式中、
Ｒ1及びＲ2はそれぞれ独立して水素又はＣ1−Ｃ6アルキルから選ばれ；
Ｒ3は
【化２】
2002524460.tif 000002
から選ばれ、
【化３】
2002524460.tif 000003
は炭素原子及びＮ、Ｏ又はＳから選ばれる１〜３個のヘテロ原子から成る５員複素芳香環であり；
Ｒ4、Ｒ5、Ｒ6及びＲ7はそれぞれ独立して水素、Ｃ1−Ｃ6アルキル、フッ素化Ｃ1−Ｃ6アルキル、シアノ、（ヒドロキシ）Ｃ1−Ｃ6アルキル、Ｃ1−Ｃ6アルコキシ、フッ素化Ｃ1−Ｃ6アルコキシ、Ｃ1−Ｃ6アルカノイル、ハロゲン、ヒドロキシ、Ｃ1−Ｃ6アルキル−ＮＲ8Ｒ9、ＮＲ8Ｒ9、ＣＯＮＲ8Ｒ9又はＳＯ2ＮＲ8Ｒ9から選ばれ；
Ｒ8は水素又はＣ1−Ｃ6アルキルから選ばれ、
Ｒ9は水素、Ｃ1−Ｃ6アルキル又はＣ1−Ｃ6アルキル−ＮＲ13Ｒ14から選ばれるか、あるいは
Ｒ8及びＲ9はそれらが結合している窒素と一緒になって非置換もしくは置換ピロリジニル、ピペリジニル、モルホリニル又は４−Ｎ（Ｒ10）−ピペラジニル基を形成し、ここで置換基はＣ1−Ｃ6アルキル、Ｃ1−Ｃ6アルコキシ、ＮＲ11Ｒ12又はＣＯＮＲ11Ｒ12から選ばれ；
Ｒ10は水素、Ｃ1−Ｃ6アルキル、Ｃ3−Ｃ6シクロアルキル、（ヒドロキシ）Ｃ1−Ｃ6アルキル、アリール、ヘテロアリール、アラルキル、アラルケニル又はＣ（Ｏ）ＮＨ2から選ばれ；
Ｒ11及びＲ12はそれぞれ独立して水素、Ｃ1−Ｃ6アルキル、（ヒドロキシ）Ｃ1−Ｃ6アルキル又は（Ｃ1−Ｃ6アルコキシ）Ｃ1−Ｃ6アルキルから選ばれ；
Ｒ13及びＲ14はそれぞれ独立して水素又はＣ1−Ｃ6アルキルから選ばれるか、あるいは
Ｒ13及びＲ14はそれらが結合している窒素と一緒になって非置換もしくは置換ピロリジニル、ピペリジニル又はモルホリニル基を形成し；
但し、Ｒ3が
【化４】
2002524460.tif 000004
であり、Ｒ5及びＲ6が両方とも水素である場合、Ｒ4は水素、Ｃ1−Ｃ6アルキル、フッ素化Ｃ1−Ｃ6アルキル、シアノ、（ヒドロキシ）Ｃ2−Ｃ6アルキル、Ｃ1−Ｃ6アルコキシ、フッ素化Ｃ1−Ｃ6アルコキシ、Ｃ1−Ｃ6アルカノイル、ハロゲン、ヒドロキシ、Ｃ1−Ｃ6アルキル−ＮＲ8Ｒ9、ＮＲ8Ｒ9、ＣＯＮＲ8Ｒ9又はＳＯ2ＮＲ8Ｒ9から選ばれる］
の化合物またはその製薬学的に許容され得る塩。
【請求項２】  Ｒ1及びＲ2がそれぞれ独立して水素及びＣ1−Ｃ4アルキルから選ばれ；
Ｒ3が
【化５】
2002524460.tif 000005
から選ばれ、
【化６】
2002524460.tif 000006
がピロリル、フラニル、チエニル又はイミダゾリルから選ばれる５員複素芳香環であり；
Ｒ4及びＲ6がそれぞれ独立して水素、Ｃ1−Ｃ4アルキル、フッ素化Ｃ1−Ｃ4アルキル、シアノ、（ヒドロキシ）Ｃ1−Ｃ4アルキル、Ｃ1−Ｃ4アルコキシ、フッ素化Ｃ1−Ｃ4アルコキシ、Ｃ1−Ｃ4アルカノイル、ハロゲン、ヒドロキシ、Ｃ1−Ｃ4アルキル−ＮＲ8Ｒ9、ＮＲ8Ｒ9、ＣＯＮＲ8Ｒ9又はＳＯ2ＮＲ8Ｒ9から選ばれ；
Ｒ5が水素、Ｃ1−Ｃ4アルキル又はＣ1−Ｃ4アルコキシから選ばれ；
Ｒ8が水素又はＣ1−Ｃ4アルキルから選ばれ、
Ｒ9が水素、Ｃ1−Ｃ4アルキル又はＣ1−Ｃ4アルキル−ＮＲ13Ｒ14から選ばれるか、あるいは
Ｒ8及びＲ9がそれらが結合している窒素と一緒になって非置換もしくは置換ピロリジニル、ピペリジニル、モルホリニル又は４−Ｎ（Ｒ10）−ピペラジニル基を形成し、ここで置換基はＣ1−Ｃ4アルキル、Ｃ1−Ｃ4アルコキシ、ＮＲ11Ｒ12又はＣＯＮＲ11Ｒ12から選ばれ；
Ｒ10が水素、Ｃ1−Ｃ4アルキル、（ヒドロキシ）Ｃ1−Ｃ4アルキル、アリール、ヘテロアリール、アリール（Ｃ1−Ｃ4）アルキル、アリール（Ｃ1−Ｃ4）アルケニル又はＣ（Ｏ）ＮＨ2から選ばれ；
但し、Ｒ3が
【化７】
2002524460.tif 000007
であり、Ｒ5が水素である場合、Ｒ4は水素、Ｃ1−Ｃ4アルキル、フッ素化Ｃ1−Ｃ4アルキル、シアノ、（ヒドロキシ）Ｃ2−Ｃ4アルキル、Ｃ1−Ｃ4アルコキシ、フッ素化Ｃ1−Ｃ4アルコキシ、Ｃ1−Ｃ4アルカノイル、ハロゲン、ヒドロキシ、Ｃ1−Ｃ4アルキル−ＮＲ8Ｒ9、ＮＲ8Ｒ9、ＣＯＮＲ8Ｒ9又はＳＯ2ＮＲ8Ｒ9から選ばれる請求項１記載の化合物またはその製薬学的に許容され得る塩。
【請求項３】
【化８】
2002524460.tif 000008
［式中、ＹはＯ、Ｓ又はＮ−Ｒ15から選ばれ、ここでＲ15は水素及びＣ1−Ｃ4アルキルから選ばれる］
から選ばれる請求項２記載の化合物またはその製薬学的に許容され得る塩。
【請求項４】  Ｒ10が水素、Ｃ1−Ｃ6アルキル、（ヒドロキシ）Ｃ1−Ｃ6アルキル、アリール、ヘテロアリール、アラルキル、アラルケニル又はＣ（Ｏ）ＮＨ2から選ばれる
請求項１記載の化合物またはその製薬学的に許容され得る塩。
【請求項５】  製薬学的に許容され得る担体及び請求項１記載の化合物を含む製薬学的組成物。
【請求項６】  性機能障害の処置を必要としている患者における性機能障害の処置用の製薬学的組成物を製造するための請求項１の化合物の使用。
【請求項７】  性機能障害が男性の勃起機能障害である請求項６記載の使用。
【請求項８】  インポテンスの処置を必要としている男性の患者におけるインポテンスの処置用の製薬学的組成物を製造するための請求項１記載の化合物の使用。
【請求項９】  陰茎組織中のｃＧＭＰの濃度を増加させる必要がある男性の患者において陰茎組織中のｃＧＭＰの濃度を増加させるための製薬学的組成物の製造における請求項１記載の化合物の使用。
【請求項１０】  心不全、肺高血圧及び狭心症から成る群より選ばれる状態の処置を必要としている患者において心不全、肺高血圧及び狭心症から成る群より選ばれる状態の処置用の医薬製剤を製造するための請求項１記載の化合物の使用。
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  エナンチオマー的に純粋なR-NSAIDを含有し、該R-NSAIDが、動物の体重1キログラム当たり少なくとも2.5ミリグラムの量で前記動物に投与される、動物の炎症を治療するための医薬組成物。
【請求項２】  前記R-NSAIDが、動物の体重1キログラム当たり少なくとも5ミリグラムの量で投与される、請求項1記載の医薬組成物。
【請求項３】  前記R-NSAIDが、動物の体重1キログラム当たり少なくとも25ミリグラムの量で投与される、請求項1記載の医薬組成物。
【請求項４】  前記R-NSAIDが、動物の体重1キログラム当たり少なくとも50ミリグラムの量で投与される、請求項1記載の医薬組成物。
【請求項５】  単位剤形が少なくとも200ミリグラムのエナンチオマー的に純粋なR-NSAIDを含む請求項１〜４のいずれか１項記載の医薬組成物。
【請求項６】  前記単位剤形が少なくとも400ミリグラムのR-NSAIDを含む、請求項５記載の医薬組成物。
【請求項７】  前記R-NSAIDがR-ケトプロフェン、R-フルルビプロフェン、R-ケトロラック、R-エトドラック、R-チアプロフェン酸、R-スプロフェン、R-カルプロフェン、R-ピルプロフェン、及びR-ベノキサプロフェンからなる群より選ばれる、請求項１〜６のいずれか１項記載の方法。
【請求項８】  前記R-NSAIDがR-フルルビプロフェンである、請求項１〜７のいずれか１項記載の医薬組成物。
【請求項９】  エナンチオマー的に純粋なR-NSAIDが、少なくとも98％のR-NSAIDのR-エナンチオマーを含む、請求項１〜８のいずれか１項記載の医薬組成物。
【手続補正２】
【補正対象書類名】明細書
【補正対象項目名】０００８
【補正方法】変更
【補正の内容】
【０００８】
発明の概要
本発明の態様によれば、動物における炎症の治療方法が提供される。本方法は、前記動物の体重1キログラム当たり少なくとも2.5ミリグラムのエナンチオマー的に純粋なR-NSAIDの投与量を動物に投与する段階を含んでいる。他の実施態様においては、投与量は、動物の体重1kg当たり少なくとも5mg、少なくとも25mg/kg、又は少なくとも50mg/kgである。これらの方法の好ましい態様においては、R-NSAIDは、R-ケトプロフェン、R-フルルビプロフェン、R-ケトロラック、R-エトドラック、R-チアプロフェン酸、R-スプロフェン、R-カルプロフェン、R-ピルプロフェン、及びR-ベノキサプロフェンからなる群より選ばれる。特に好適な実施態様においては、R-NSAIDはR-フルルビプロフェンである。
本発明の態様によれば、更に、炎症を治療するための医薬組成物が提供される。本医薬組成物は、単位剤形（unit dosage form）であり、少なくとも200ミリグラムのエナンチオマー的に純粋なR-NSAIDを含んでいる。他の実施態様においては、単位剤形は、少なくとも400ミリグラム、少なくとも1,000ミリグラム、少なくとも3,000ミリグラム、少なくとも3,500ミリグラム又は少なくとも5,000ミリグラムである。好ましい態様においては、医薬組成物のR-NSAIDは、R-ケトプロフェン、R-フルルビプロフェン、R-ケトロラック、R-エトドラック、R-チアプロフェン酸、R-スプロフェン、R-カルプロフェン、R-ピルプロフェン、及びR-ベノキサプロフェンからなる群より選ばれる。特に好適な実施態様においては、R-NSAIDはR-フルルビプロフェンである。
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】 衣類、バッグ、その他の必要物品を、保持するための衣服掛けであって、
枠（４）、および物品を前記衣服掛けに連結および／または固定するための可動固定弓（１）、および取りつけ枠（４）に対して該固定弓（１）を動かすための対向面及び伝動要素から成り、
動力ユニット（７）が取りつけ枠（４）に連結してあり、該動力ユニット（７）が該伝動要素によって該固定弓（１）を固定位置に移動させるために必要な力を発生させるように構成されていることを特徴とする衣服掛け。
【請求項２】 固定弓（１）が、固定されたとき、実質的に板状の対向面に対して押しつけられるように構成され、それによって、固定すべき物品を固定弓（１）と前記対向面との間に固定することができることを特徴とする請求項１に記載の衣服掛け。
【請求項３】 当該伝動要素が、動力ユニット（７）の駆動力が切られている場合でも固定弓（１）をその固定位置に保持することができるような構造であることを特徴とする請求項１または２に記載の衣服掛け。
【請求項４】 当該伝動要素が、固定弓（１）を動かすための、動力ユニット（７）によって回転させられるように構成されたねじ（６）と固定弓（１）の端に配置されたナット（９）とから成ることを特徴とする請求項３に記載の衣服掛け。
【請求項５】当該伝動要素が、固定弓（１）を動かすための、固定弓（１）の第一の端から延びる固定弓（１）に連結された歯付きの棒（１４）と動力ユニット（７）によって回転させられるように構成された歯付きのホイール（１３）とから成ることを特徴とする請求項３に記載の衣服掛け。
【請求項６】当該伝動要素が、固定弓（１）の第一の端から延びていて固定弓（１）と支持部品とに連結された駆動ベルト（１６）、および回転装置（１５）から成ることを特徴とする請求項３に記載の衣服掛け。
【請求項７】 動力ユニット（７）が電動機であることを特徴とする請求項１から６の中のいずれか１つに記載の衣服掛け。
【請求項８】 押しつけ力を調節する制限装置、さらにまた固定弓（１）の自動的な固定解除及び固定機能を可能とする制御装置を有することを特徴とする請求項１から７の中のいずれか１つに記載の衣服掛け。
【請求項９】 動力ユニット（７）を使用するための、固定できるスイッチ（１１）と固定解除部品とを有することを特徴とする請求項１から８の中のいずれか１つに記載の衣服掛け。
【請求項１０】自動料金徴収装置を有することを特徴とする請求項１から９の中のいずれか１つに記載の衣服掛け。
【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  車両のディスクブレーキ用の、特に商用車両の空気作動式ディスクブレーキ用のブレーキディスクであって、
それらの間に少なくとも一つの空気通路（５）を形成して、ブリッジ片（２）を介して相互に結合される二枚の摩擦リング（３、４）と、
（商用）車両の車軸のハブのカム内で係合すべく構成されて、ブレーキディスクの内周領域に接続形成された支持部材（６）とを有し、
支持部材（６）がブレーキディスク（１）の内周でブリッジ片状に空気通路（５）を跨り、そこで、摩擦リング（３、４）の外側面（３ａ、４ａ）を、支持部材（６）の外側面（６ａ）に対して軸方向に離している
形式のものにおいて、
支持部材（６）の外側面（６ａ）に対する摩擦リング（３、４）の外側面（３ａ、４ａ）の間隔ｓが３＜＝ｂｓ／ｓ＜＝６の条件を満足する（ただし、ｂｓはディスク厚さである。）
ことを特徴とするブレーキディスク。
【請求項２】  支持部材（６）が空気通路（５）内への冷却空気用の導路（１１）を備えることを特徴とする、特に請求項１の前提部分によるブレーキディスク。
【請求項３】  該導路を、該ブレーキディスクに対してほぼ半径方向に延びる穴（１１）として形成することを特徴とする請求項２のブレーキディスク。
【請求項４】  支持部材（６）がほぼＴ状を呈し、Ｔのブリッジ片はそれぞれ半径方向に延びる穴（１１）を冷却空気用に備えることを特徴とする請求項１乃至請求項３の一のブレーキディスク。
【請求項５】  該Ｔ状支持部材（６）をそれぞれ二つのＬ状部分（１２、１３）から形成し、両Ｌ状部分（１２、１３）の基礎側面（１２ａ、１３ａ）は相互に隣接し、半径方向に空気通路（５）内に突出し、Ｌ状部分（１２、１３）の長脚部（１２ｂ、１３ｂ）が、それぞれ半径方向内向きに摩擦リング（３、４）の内周に亘って突出していることを特徴とする前記請求項の一のブレーキディスク。
【請求項６】  該Ｌ状部分（１２、１３）の双方の長脚部（１２ｂ、１３ｂ）の間に、導路（１１）内で合流し、及び／又は該導路（１１）の部分を形成する軸穴（１７）が形成されていることを特徴とする請求項５のブレーキディスク。
【請求項７】  該カムと該支持部材の間に設置可能な、ハブ（８）のカム（７）にブレーキディスク（１）を軸方向に固定すべく中間要素（９）を備えることを特徴とする前記請求項の一のブレーキディスク。
【請求項８】  アクスルハブ（８）及び／又は該アクスルハブ（８）に取り付け可能なアダプタであって、請求項１から７までのいずれか１項記載のブレーキディスクが設けられており、アクスルハブ（８）及び／又はアクスルハブとブレーキディスクの間に挿入可能なアダプタを、半径方向内向きに、又は側面で軸方向外向きに開放したハブ穴（１５）又はハブ穴（１４）と共に形成して、支持部材（６）の穴内に、及び／又は摩擦リングの間に形成される空気通路（５）内に直接、冷却空気を案内し、カム（７）がカム穴（１６）を備え、該カム穴が該カム（７）の軸方向外側面を穴状に延びて空気通路（５）内に導かれる
形式のものにおいて、
カム穴（１６）がブレーキディスク面に対し傾斜して延びる
ことを特徴とするアクスルハブ及び／又は該アクスルハブに取り付け可能なアダプタ。
【手続補正２】
【補正対象書類名】明細書
【補正対象項目名】０００１
【補正方法】変更
【補正の内容】
【０００１】
この発明は、請求項１の前提部分によるブレーキディスクならびに請求項８の前提部分によるアクスルハブに関する。
【手続補正３】
【補正対象書類名】明細書
【補正対象項目名】０００２
【補正方法】変更
【補正の内容】
【０００２】
「２部分」構造のブレーキディスクは、ドイツ特許ＤＥ １９５ ４４ ５５９ Ｃ１によって知られている。ブレーキディスクをハブと結合すべく、ＤＥ １９５ ４４ ５５９ Ｃ１のブレーキディスクでは、例えばボルトによってハブのカムに固定できる中間要素が、ハブのカムからディスクの支持部材へ回転モーメントと力とを伝達するために具備されている。ここにおいて、一方ではハブのカムは中間要素に係合し、他方で中間要素は支持部材に係合して、２つの回転方向においてブレーキディスクからハブへの確実なトルク伝達を保証する。
【手続補正４】
【補正対象書類名】明細書
【補正対象項目名】０００３
【補正方法】変更
【補正の内容】
【０００３】
しかし、ＤＥ １９５ ４４ ５５９ Ｃ１のブレーキディスクは、それ自体、高負荷の場合にブレーキディスクの温度不感受性を更に小さくすることが望ましいことを示している。特に、ブレーキディスクの亀裂形成傾向を減少すべきである。
ＦＲ ９０１ ７７８から、前提部分の形式のブレーキディスク及びアクスルハブが公知である。この背景技術から出発して、本発明の課題は、ブレーキディスク及びハブにおける温度感受性をさらに減じることである。つまり、ブレーキディスクを取り付けるためのアクスルハブの適切な形成も最適化すべきである。
【手続補正５】
【補正対象書類名】明細書
【補正対象項目名】０００４
【補正方法】変更
【補正の内容】
【０００４】
本発明は、請求項１及び８の主題によってこの目的を達するが、それらの主題はそれぞれブレーキディスクの負荷容量を明らかに高め、且つそれらは、特に有利で高い負荷容量のブレーキディスク（及びアクスルハブ）との組み合わせにおいて完全なものとする。
【手続補正６】
【補正対象書類名】明細書
【補正対象項目名】０００５
【補正方法】変更
【補正の内容】
【０００５】
本発明はこの課題を請求項１及び８の主題により解決する。その際、ブレーキディスクの内周の支持部材が、ブリッジ片状に空気通路を跨いでおり、請求項１に記載された関係でもって、特にその最大許容摩耗状態においても摩擦リングの外側面が支持部材の外側面に対して軸方向に離れているように摩擦リングの領域内で軸方向に突出する。その際、支持部材の外側面の間隔は、請求項１に記載された関係にある。
【手続補正７】
【補正対象書類名】明細書
【補正対象項目名】００１０
【補正方法】変更
【補正の内容】
【００１０】
請求項８により、ブレーキディスクの冷却は構造的に簡単な形式でさらに向上される。
【手続補正書】
【提出日】平成18年9月12日(2006.9.12)
【手続補正１】
【補正対象書類名】明細書
【補正対象項目名】請求項３
【補正方法】変更
【補正の内容】
【請求項３】
請求項１または２に記載の顔料混合物を調製する方法であって、
方法の第１段階において、直径５０μｍ未満の球状二酸化ケイ素を二酸化チタンで被覆し、
方法の第２の段階において、成分Ａの得られる懸濁液を、直径５０μｍ未満の球状二酸化ケイ素を第１の層としての二酸化チタンおよび第２の外側層としての酸化鉄（ＩＩＩ）で６５〜８０°の色相角度が達成されるまで被覆することによりあらかじめ調製された成分Ｂの未焼成粉末状のものと、４〜９のｐＨで攪拌下に混合し、
混合物をさらに１０〜３０分間攪拌し、
得られる顔料を反応媒体から分離し、洗い、乾燥し、
５００〜９００℃で焼成することからなる、顔料混合物を調製する方法。
【手続補正２】
【補正対象書類名】明細書
【補正対象項目名】請求項５
【補正方法】変更
【補正の内容】
【請求項５】
塗料、ワニス、粉末被覆剤、印刷インク、ポリマー、農業用フィルムにおける、レーザーマーキングのための、種子粉衣としての、および化粧製剤における、請求項１に記載の顔料混合物の使用方法。
【誤訳訂正書】
【提出日】平成18年7月26日(2006.7.26)
【誤訳訂正１】
【訂正対象書類名】明細書
【訂正対象項目名】特許請求の範囲
【訂正方法】変更
【訂正の内容】
【特許請求の範囲】
【請求項１】  ３０重量％以上の量のポリカーボネート、及び色安定性又は光沢保持性を向上させるのに有効な小配合比の、レゾルシノールイソフタレート／テレフタレート又はアルキルレゾルシノールイソフタレート／テレフタレートから誘導される第一構造単位と任意構造単位としてＣ4-12脂肪族、脂環式又は脂肪族／脂環式混成ジカルボン酸のレゾルシノールエステル又はアルキルレゾルシノールエステルから誘導される第二構造単位とを含んでなる熱可塑性アリーレートポリマーを含んでなる樹脂組成物。
【請求項２】  ３０重量％以上のポリカーボネート、及び色安定性又は光沢保持性を向上させるのに有効な小配合比の熱可塑性アリーレートポリマーであって下記の式Ｉの構造単位と任意構造単位として下記の式IIの構造単位とからなるポリエステルである熱可塑性アリーレートポリマーを含んでなる樹脂組成物。
【化１】
2002524646.tif 000001
式中、Ｒ1は水素又はＣ1-4アルキルである。
【化２】
2002524646.tif 000002
式中、Ｒ2は二価Ｃ4-12脂肪族基、脂環式基又は脂肪族／脂環式混成基である。
【請求項３】  前記ポリカーボネートがビスフェノールＡポリカーボネートである、請求項１又は請求項２記載の組成物。
【請求項４】  前記アリーレートポリマーが第一構造単位からなる、請求項１乃至請求項３のいずれか１項記載の組成物。
【請求項５】  第一構造単位がレゾルシノールイソフタレート／テレフタレートから誘導される、請求項４記載の組成物。
【請求項６】  イソフタレート単位とテレフタレート単位が０．９〜１．１：１のモル比で存在する、請求項５記載の組成物。
【請求項７】  前記アリーレートポリマーが第一構造単位と第二構造単位からなる、請求項１乃至請求項３のいずれか１項記載の組成物。
【請求項８】  第二構造単位がＣ8-12直鎖脂肪族ジカルボン酸レゾルシノールエステルから誘導される、請求項７記載の組成物。
【請求項９】  第二構造単位がレゾルシノールセバケートから誘導される、請求項８記載の組成物。
【請求項１０】  前記アリーレートポリマーの第一構造単位と第二構造単位の比が８．５：１．５〜９．５：０．５である、請求項８記載の組成物。
【請求項１１】  １種類以上の充填材又は顔料をさらに含んでなる、請求項１乃至請求項１０のいずれか１項記載の組成物。
【請求項１２】  ポリエステル又は付加重合体である別のポリマーを小配合比でさらに含んでなる、請求項１又は請求項２記載の組成物。
【請求項１３】  前記別のポリマーがポリエステルである、請求項１２記載の組成物。
【請求項１４】  前記ポリエステルがポリ（アルキレンアレーンジオエート）である、請求項１３記載の組成物。
【請求項１５】  請求項１乃至請求項１４のいずれか１項記載の組成物から製造された耐候性の向上した製品。
【誤訳訂正２】
【訂正対象書類名】明細書
【訂正対象項目名】００１０
【訂正方法】変更
【訂正の内容】
【００１０】
【化３】
2002524646.tif 000003
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】
ａ）熱可塑性ポリマーと、
ｂ）少なくとも一つの多官能性エポキシド化合物と、
ｃ）少なくとも一つのイミダゾリジノン化合物
を含むポリマー組成物。
【請求項２】
少なくとも一つの多官能性エポキシド化合物と、少なくとも一つのイミダゾリジノン化合物を含む、光沢改良された熱可塑性ポリマー。
【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】
【請求項１】  それぞれ最高で０．２％のＣ、Ａｌ、Ｔｉ、Ｖ及びＮｂ、それぞれ最大で１％のＳｉ及びＭｎ、Ｎの固定のために必要とされる量のホウ素、並びに残部の鉄及び不可避の不純物を伴う低合金鋼を、溶融し、キャスティングしてスラブ、薄いスラブ又はストリップにする、冷間圧延ストリップ又は板の製造方法であって、
前記スラブ、薄いスラブ又はストリップを、１，１００℃を超える初期温度及びＡｒ3点未満の最終温度で熱間圧延し、得られる熱間圧延ストリップを６５０℃未満の温度で巻き取り、最大で５０％の冷間圧延比で冷間圧延し、そして得られる冷間圧延ストリップを、前記冷間圧延のレベルに独立で且つ鋼の組成に依存して可能な限り低温の５２０〜７８０℃の温度で、完全に再結晶化させるのに十分な時間にわたって焼きなまし処理する、冷間圧延ストリップ又は板を製造する方法。
【請求項２】  ホウ素がＮの０．７８倍超の量である、請求項１に記載の方法。
【請求項３】  前記冷間圧延を、３０％〜５０％の冷間圧延比で行う、請求項１又は２に記載の方法。
【請求項４】  冷間圧延において、前記冷間圧延工程間の１又は複数の中間焼きなまし処理を前記ストリップに行う、請求項１〜３のいずれかに記載の方法。
【請求項５】  Ｃが０．０１％未満で微量合金を伴わない鋼、及び任意のＣ含有物及び微量合金元素を伴う鋼に適用する方法であって、前記再結晶化焼きなまし処理を、７００〜７８０℃の温度の連続焼きなまし処理装置において行う、請求項１〜４のいずれかに記載の方法。
【請求項６】  Ｃが０．１％超で微量合金を伴わない鋼に適用する方法であって、前記再結晶化焼きなまし処理を、６００〜６８０℃の温度の連続焼きなまし処理装置において行う、請求項１〜４のいずれかに記載の方法。
【請求項７】  Ｃが０．０１％未満で微量合金を伴わない鋼、及び任意のＣ含有物及び微量合金元素を伴う鋼に適用する方法であって、前記再結晶化焼きなまし処理を、６００〜６８０℃の温度の回分焼きなまし処理装置において行う、請求項１〜４のいずれかに記載の方法。
【請求項８】  Ｃが０．１％超で微量合金を伴わない鋼に適用する方法であって、前記再結晶化焼きなまし処理を、５２０〜６００℃の温度の回分焼きなまし処理装置において行う、請求項１〜４のいずれかに記載の方法。
【手続補正２】
【補正対象書類名】明細書
【補正対象項目名】０００７
【補正方法】変更
【補正の内容】
【０００７】
可能であれば、熱間圧延の最終温度はＡｒ3よりも５０℃低いべきであり、巻き取り温度は好ましくは３００〜６００℃であるべきである。０．０１％までの少量の炭素含有物を伴うＩＦ鋼又はＴｉ、Ｖ、Ｎｂによって微量合金化された鋼は、６００〜７８０℃の温度で完全に再結晶化焼きなまし処理することができ、微量合金化されていない鋼は、冷間圧延レベルにほとんど依存しないで、５００〜６８０℃の比較的低い温度でさえ、完全に再結晶化焼きなまし処理することができる。
本発明の実施態様としては、下記の実施態様を挙げることができる：
（実施態様１）  それぞれ最高で０．２％のＣ、Ａｌ、Ｔｉ、Ｖ及びＮｂ、それぞれ最高で１％のＳｉ及びＭｎ、Ｎの固定のために必要とされる量（Ｎの０．７８倍超）のホウ素、並びに残部の鉄及び不可避の不純物を伴う低合金鋼から、冷間圧延ストリップ又は板を製造する方法であって、
溶融させた後に、鋼をキャスティングしてスラブ、薄いスラブ又はストリップにし、これを１，１００℃をを超える初期温度及びＡｒ3点未満の最終温度で熱間圧延し、この熱間圧延ストリップを６５０℃未満の温度で巻き取り、冷間圧延し、そしてこの冷間圧延ストリップを、前記冷間圧延のレベルに独立で且つ鋼の組成に依存して可能な限り低い５２０〜７８０℃の温度で、完全に再結晶化させるのに十分な時間にわたって焼きなまし処理する、冷間圧延ストリップ又は板を製造する方法。
（実施態様２）  冷間圧延において、前記冷間圧延工程間の１又は複数の中間焼きなまし処理を前記ストリップに行う、実施態様１に記載の方法。
（実施態様３）  Ｃが０．０１％未満で微量合金を伴わない鋼、及び任意のＣ含有物及び微量合金元素を伴う鋼に適用する方法であって、前記再結晶化焼きなまし処理を、７００〜７８０℃の温度の連続焼きなまし処理装置において行う、実施態様１又は２に記載の方法。
（実施態様４）  Ｃが０．１％超で微量合金を伴わない鋼に適用する方法であって、前記再結晶化焼きなまし処理を、６００〜６８０℃の温度の連続焼きなまし処理装置において行う、実施態様１又は２に記載の方法。
（実施態様５）  Ｃが０．０１％未満で微量合金を伴わない鋼、及び任意のＣ含有物及び微量合金元素を伴う鋼に適用する方法であって、前記再結晶化焼きなまし処理を、６００〜６８０℃の温度の回分焼きなまし処理装置において行う、実施態様１又は２に記載の方法。
（実施態様６）  Ｃが０．１％超で微量合金を伴わない鋼に適用する方法であって、前記再結晶化焼きなまし処理を、５２０〜６００℃の温度の回分焼きなまし処理装置において行う、実施態様１又は２に記載の方法。
【手続補正書】
【提出日】平成18年7月26日(2006.7.26)
【手続補正１】
【補正対象書類名】明細書
【補正対象項目名】特許請求の範囲
【補正方法】変更
【補正の内容】
【特許請求の範囲】
【請求項１】  以下の成分：
（Ａ）室温加硫性ポリオルガノシロキサン組成物１００重量部、及び
（Ｂ）成分Ａの硬化生成物の表面にブルーミングすることができ、しかもシラノール基を含まない次の式IIIの線状又は非線状のポリマー又はコポリマーからなる少なくとも１種の有機相溶性シリコーン流体５〜２０重量部
【化１】
2002524604.tif 000001
（式中、ｎは１〜８０００であり、Ｒ5は同一又は異なるもので、炭素原子数１〜２０個のアルキル基、炭素原子数６〜２０個の置換アルキル基、一価アルコキシアルキル基及び一価アリールオキシアルキル基より成る群の中から選択され、上記シリコーン流体は２〜１００モル％の高級アルキル（Ｃ6−Ｃ20）基又は置換アリール−アルキル基を含み、上記シリコーン流体の粘度は２５℃で２０〜４０００センチストークスである。）
を含んでなる縮合硬化性コーティング組成物。
【請求項２】  成分Ａが少なくとも１種の反応性シリコーン、少なくとも１種の縮合触媒及び少なくとも１種の架橋剤を含んでなる、請求項１記載の組成物。
【請求項３】  有機相溶性シリコーン流体が、アルキルメチルシロキサンホモポリマー、アルキルメチルシロキサン／ジメチルシロキサンコポリマー及びジアルキルシロキサンホモポリマーより成る群の中から選択される、請求項１記載の組成物。
【請求項４】  Ｒ5が炭素原子数１〜２０のアルキル基、炭素原子数６〜２０の置換アルキル基及び炭素原子数７〜５０のアリールオキシアルキル基の中から選択される、請求項１記載の組成物。
【請求項５】  前記有機相溶性シリコーン流体が１０〜７０モル％の高級アルキル（Ｃ6−Ｃ20）基又は置換アリール−アルキル基を含む、請求項１記載の組成物。
【請求項６】  有機相溶性シリコーン流体が−６０〜８０℃の範囲の流動点で特徴付けられる、請求項１記載の組成物。
【請求項７】  有機相溶性シリコーン流体が−５０〜３０℃の範囲の流動点で特徴付けられる、請求項１記載の組成物。
【請求項８】  有機相溶性シリコーン流体が−５０〜０℃の範囲の流動点で特徴付けられる、請求項１記載の組成物。
【請求項９】  前記反応性シリコーンが次の式Ｉのポリジアルキルシロキサンである、請求項２記載の組成物。
【化２】
2002524604.tif 000002
式中、各Ｒ1はヒドロキシル基又は次の式IIの基であり
【化３】
2002524604.tif 000003
（式中、Ｒ3とＲ4は各々が炭化水素基であり、ａは０又は１である）、各Ｒ2は独立して炭化水素基又はフッ素化炭化水素基であり、ｍは反応性シリコーンの粘度が常温常圧条件下で６０００センチポアズまでとなる値を有する。
【請求項１０】  各Ｒ2がメチルである、請求項９記載の組成物。
【請求項１１】  各Ｒ1がヒドロキシルである、請求項１０記載の組成物。
【請求項１２】  各Ｒ1が構造IIである、請求項１０記載の組成物。
【請求項１３】  前記縮合触媒がスズ、ジルコニウム又はチタンの化合物である、請求項９記載の組成物。
【請求項１４】  前記架橋剤が三官能性又は四官能性シランである、請求項９記載の組成物。
【請求項１５】  前記架橋剤がケイ酸テトラアルキルである、請求項１４記載の組成物。
【請求項１６】  請求項１乃至請求項１５のいずれか１項記載の縮合硬化性コーティング組成物の縮合硬化反応生成物である汚れ止めコーティングで被覆された海洋構造物を含んでなる物品。
【請求項１７】  請求項１記載の（Ａ）と（Ｂ）を一緒にすることを含んでなる縮合硬化性コーティング組成物の製造方法。
【請求項１８】  請求項１記載の組成物を含んでなる縮合硬化性コーティング組成物で構造物を被覆することを含んでなる、構造物を海洋汚れから保護する方法。